(57)【要約】      （修正有）【課題】金券の券面に印刷されたドットパターンをデジタルペンで読み取り、読み取った情報を管理端末に送信することによって金券の発行状況，回収状況を管理する。【解決手段】金券の券面に印刷されたドットパターンをデジタルペンで読み取って金券の発行・回収状況を管理するシステムであって、券面の所定領域にドットパターンが印刷され、前記所定領域内にチェック欄と終了マーク記載欄が形成された金券と、筆記部，撮像部，記憶部，制御部，通信部を有するデジタルペンと、店舗内でデジタルペンに接続されて使用される通信端末と、前記通信端末と接続され、通信端末にドットパターン利用支援情報を提供するドットパターン管理サーバと、通信端末に直接または間接的に接続され、金券の発行，回収情報を収集して金券を管理する金券管理サーバと、を有する金券管理システムを提供する。【選択図】図１
2006201908.tif 000002
【特許請求の範囲】
【請求項１】
商品券，ギフト券等金券の券面に印刷されたドットパターンをデジタルペンで読み取って金券の発行・回収状況を管理するシステムであって、
券面の所定領域にドットパターンが印刷され、前記所定領域内にチェック欄と終了マーク記載欄が形成された金券と、
筆記部，撮像部，記憶部，制御部，通信部を有するデジタルペンと、
店舗内でデジタルペンに接続されて使用される通信端末と、
前記通信端末と接続され、通信端末にドットパターン利用支援情報を提供するドットパターン管理サーバと、
通信端末に直接または間接的に接続され、金券の発行，回収情報を収集して金券を管理する金券管理サーバと、
を有することを特徴とする金券管理システム。
【請求項２】
請求項１に記載の金券管理システムにおいて、
金券の券面には金券管理情報が重複しない状態で印刷されていることを特徴とする金券管理システム。
【請求項３】
請求項２に記載の金券管理システムにおいて、
金券管理サーバには、金券管理情報と、同一金券の券面に形成されたチェック欄のドットパターン情報が関連付けされて格納され、ドットパターン情報は金券管理情報を読み出す際のキー情報として使用されることを特徴とする金券管理システム。
【請求項４】
請求項３に記載の金券管理システムにおいて、
金券管理サーバは、通信端末から金券の発行，回収情報を受信した際に、既にチェックされた情報であった場合は、情報を送信した通信端末に対して、アラームメッセージを送信することを特徴とする金券管理システム。
【発明の詳細な説明】
【技術分野】
【０００１】
本発明は、金券管理システムに関し、詳しくは、商品券，ギフト券等金券の券面に印刷されたドットパターンをデジタルペンで読み取って読み取った情報を管理端末に送信することによって金券の発行状況，回収状況を管理し、併せて不正に作製された金券が流通していないかチェックするシステムに関する。
【背景技術】
【０００２】
従来技術として、「商品券の発行・回収管理システム」が開示されている（特許文献１参照）。
特許文献1の「商品券の発行・回収管理システム」によれば、発行情報は、各店舗から回収された発行管理表のデータを元に、入力端末で入力してデータベースに登録し、回収情報は各店舗から回収された商品券の商品券情報をバーコードリーダや、ＯＣＲ（Ｏｐｔｉｃａｌ  Ｃｈａｒａｃｔｅｒ  Ｒｅａｄｅｒ；光学文字認識装置）で読取ってデータベースに登録し、消し込み作業を行うというものである。
【０００３】
【特許文献１】特開平１１−２０３５０９号公報
【発明の開示】
【発明が解決しようとする課題】
【０００４】
しかしながら、特許文献１に記載の技術には下記のような課題がある。
各店舗から発行管理表が手元に届かない限り、また、各店舗から回収済商品券が手元に届かない限り管理装置に登録されないため、不正が行われた際に店舗側でリアルタイムの状況を把握することが困難である。
また、回収された商品券をバーコードリーダや、ＯＣＲで読み取る段階を必要とする。
【課題を解決するための手段】
【０００５】
前記課題を解決するために、本発明の金券管理システムの請求項1に記載の発明は、
商品券，ギフト券等金券の券面に印刷されたドットパターンをデジタルペンで読み取って金券の発行・回収状況を管理するシステムであって、券面の所定領域にドットパターンが印刷され、前記所定領域内にチェック欄と終了マーク記載欄が形成された金券と、筆記部，撮像部，記憶部，制御部，通信部を有するデジタルペンと、店舗内でデジタルペンに接続されて使用される通信端末と、前記通信端末と接続され、通信端末にドットパターン利用支援情報を提供するドットパターン管理サーバと、通信端末に直接または間接的に接続され、金券の発行，回収情報を収集して金券を管理する金券管理サーバと、を有することを特徴とするものである。
【０００６】
また、請求項２に記載の発明は、請求項１に記載の発明において、金券の券面には金券管理情報が重複しない状態で印刷されていることを特徴とするものである。
【０００７】
また、請求項３に記載の発明は、請求項２に記載の発明において、金券管理サーバには、金券管理情報と、同一金券の券面に形成されたチェック欄のドットパターン情報が関連付けされて格納され、ドットパターン情報は金券管理情報を読み出す際のキー情報として使用されることを特徴とするものである。
【０００８】
また、請求項４に記載の発明は、請求項３に記載の発明において、金券管理サーバは、通信端末から金券の発行，回収情報を受信した際に、既にチェックされた情報であった場合は、情報を送信した通信端末に対して、アラームメッセージを送信することを特徴とするものである。
【発明の効果】
【０００９】
本発明の、金券管理システムによって；
１）商品券，ギフト券等の金券にデジタルペン専用ドットパターンを印刷して使用することにより、金券の発行状況，回収状況をリアルタイムで把握することができ、併せて不正に作製された金券が流通していないかチェックすることができる。
また、在庫切れの店舗に対する商品券の補填や、在庫枚数を適正にするための追加発注時期の割り出しが可能になる。
２）バーコードリーダ，ＯＣＲを設置する必要がない。
また、発行管理表、および、使用済み商品券の回収作業、商品券の表面に印刷された光学読取文字，バーコード等の読取作業が不要となる。
【発明を実施するための最良の形態】
【００１０】
以下、図面を参照して、本発明の金券管理システムについて説明する。
図１は、本発明の金券管理システムを構築するための機器構成を示す模式図，図２は、デジタルペンの機能について説明するためのブロック図，図３は、デジタルペン専用用紙に印刷されるドットパターンの単位情報について説明するための図，図４は、金券（商品券）の所定の領域に印刷された発行チェック欄と、回収チェック欄の一例について説明するための図，である。
【００１１】
本実施形態では、デジタルペンはスウェーデン国のＡｎｏｔｏ社で開発されたアノトペンを使用し、金券の券面に印刷されるドットパターンは、アノトペン専用ドットパターンを印刷したデジタルペン専用用紙を使用した金券の例で説明する。
また、金券については商品券の例で説明する。
【００１２】
図１を参照して、本発明の金券管理システムを構築するための構成機器、及び媒体について説明する。
本発明の金券管理システムを構築するために各店舗の売り場、または、商品券取り扱いコーナーに、デジタルペン１と通信端末４を設置する。
デジタルペン１と通信端末４は、ＵＳＢ（Ｕｎｉｖｅｒｓａｌ  Ｓｅｒｉａｌ  Ｂｕｓ）ケーブルや、Ｂｌｕｅｔｏｏｔｈによって一対一で接続される。
また、通信端末４とドットパターン管理サーバ３はインターネット介して接続される。
更に、通信端末４と商品管理サーバ５は、インターネットを介して、またはＬＡＮによって接続される。
商店の店舗には未発行の商品券２が券種毎に準備され、また、回収された商品券が所定の場所に保管される。
【００１３】
図１のデジタルペンについて、図２を参照しながら説明する。
デジタルペン１は、インクカートリッジを伴った筆記部１５，ドットパターンを読み取るデジタルカメラによる撮像部１４，デジタルカメラで読み取られた筆記情報を記録する記憶部１２，通信端末４にチェック欄のドットパターン情報を送信する通信部１６、これらの機能を制御する制御部１３をデジタルペン１の筐体１１の内部に搭載し、商品券２の券面に印刷された発行チェック欄と、回収チェック欄のドットパターン情報を撮像部１４で読み取って記憶部１２で記憶し、デジタルペンの識別情報など共に通信部１６で通信端末４に送信する。
通信部１６は、ＵＳＢ（Ｕｎｉｖｅｒｓａｌ  Ｓｅｒｉａｌ  Ｂｕｓ）ケーブル用コネクタ，Ｂｌｕｅｔｏｏｔｈ対応となっている。
筆記部１５は、デジタルペンの筐体１１に組み込まれているが、単独で筆記具として使用可能になっており、制御部１３とは接続されていない。
【００１４】
筆記部は、筆記イメージを可視状態で記載部に残す役割の他に、デジタルカメラによる撮像部と、ドットパターン印刷面との距離を一定にする役割を持っている。
本発明のアプリケーションの場合は、必ずしも、筆記部によって可視状態のマークを商品券に残さなくてもよいのであるが、発行された商品券であること、回収された商品券であることを明確にするために敢えてマークを付すようにしている。
そのために、インクカートリッジ１５１にインクが充填されていることを確認されなければならない。
インクカートリッジ１５１にインク残量を確認する場合、または、充填する場合は、例えば、筆記部１５をデジタルペン筐体１１の先端から引き抜いて残量インクの確認、または、インクの充填を行う。
【００１５】
通信端末４は、パーソナルコンピュータ，ＰＤＡ（Ｐｅｒｓｏｎａｌ  Ｄｉｇｉｔａｌ  Ａｓｓｉｓｔａｎｃｅ）その他通信機能を有する装置で、背後に上位機種がある場合は携帯電話等で代行することもできる。
通信端末４は、デジタルペン１から送信された、（発行チェック欄と、回収チェック欄に印刷された）ドットパターン情報，デジタルペン識別情報などをＵＳＢや、Ｂｌｕｅｔｏｏｔｈ対応のインターフェイスで受信し、その中の一部の情報をドットパターン管理サーバ３に送信する。
【００１６】
ドットパターン管理サーバ３は、受信した情報の内、（発行チェック欄と、回収チェック欄に印刷された）ドットパターン情報の座標データを専用プログラムによって編集し、ドットパターン利用支援情報として、例えば、テキストデータとして通信端末４に返信する。
商品券の発行チェック欄と、回収チェック欄に印刷されているドットパターン情報は、商品券に印刷されている商品券管理情報と同様、それぞれ重複しない情報になっている。
【００１７】
Ａｎｏｔｏ社のシステムが利用されている地域では、ドットパターン管理サーバ３が、ＰＬＳ（Ｐａｐｅｒ  Ｌｏｏｋ−ｕｐ  Ｓｅｒｖｉｃｅ）と呼ばれるドットパターン管理サーバと、ＡＳＨ（Ａｐｐｒｉｃａｔｉｏｎ  Ｓｅｒｖｉｃｅ  Ｈａｎｄｌｅｒ）と呼ばれるドットパターン管理サーバに分けられている場合が多い。
この場合は、通信端末４は先ず、ＰＬＳドットパターン管理サーバにチェック欄のドットパターン情報のドットパターンを送信する。
ＰＬＳドットパターン管理サーバは、ドットパターン利用支援情報を提供するＡＳＨドットパターン管理サーバのＵＲＬを通信端末４に送信する。
通信端末４は、ＰＬＳドットパターン管理サーバから受信したＵＲＬに商品券のチェック欄のドットパターン情報のドットパターンを送信し、ドットパターンをテキスト情報に変換させて返信させる。
【００１８】
商品券管理サーバ５は、前述のように通信端末４と接続されており、商品券２の発行状況，回収状況を商品券のチェック欄のドットパターン情報としてリアルタイムで収集し、データベースに整理してファイルすることができる。
チェック欄のドットパターン情報は、ドットパターン管理サーバによってテキストデータ化された情報として保管されている。
商品券管理サーバ５には、図示しないが、収集した商品券流通情報を保管する保管端末が接続されている場合もある。
商品券管理サーバ５は、店舗の通信端末４から、テキストデータに変換されたチェック欄のドットパターン情報を受信した際に、チェック欄のドットパターン情報をキーとして商品券管理サーバ５、または、前記保管端末のデータベースから商品券管理番号を読み出す。
商品券管理サーバ５、または、保管端末の収集データの中に、入力された検索キーで読み出された商品券管理番号が既に存在していた場合は、偽造された商品券が流通している可能性が高く、即座にアラーム付きメッセージを送信した通信端末４に対して返信し、発行、回収した商品券を確認させる。
それと同時に、商品券管理サーバ側では、以前に同一の商品券管理番号を読み出させた通信端末を含め、過去の履歴を調査する。
【００１９】
図４を参照して、デジタルペン専用用紙（商品券）に印刷されたドットパターンについて説明する。
デジタルペン専用用紙は、図４のa図に示すような小さなデジタルペン専用ドットパターンが紙面一杯に印刷された紙である。
a図に示す碁盤目状の罫線は、実際に使用されるデジタルペン専用ドットパターン印刷紙には印刷されていないが、図では説明し易くするために記載している。
前記デジタルペン専用ドットは、０．３ｍｍ間隔で形成された直角に交わる縦横の仮想線分の交点近傍に、それぞれ異なる４方向の何れかに配置され、（デジタルペンの撮像部で認識可能な）有色のインキで印刷されている。
ｂ図は、判りやすくするために、a図のデジタルペン専用ドットパターンのそれぞれのドットの意味を数値に変換して示したもので、これに限定されたものではない。
前述のＡｎｏｔｏ社のシステムでは、３６個の前記ドット（約４ｍｍ2の内側に印刷されたドット群）を１単位情報として扱っている。
【００２０】
デジタルペンで、デジタルペン専用用紙上にパターンを描くと、ペン先がどの位置をなぞっているか、紙面に印刷されたドットパターンをデジタルペンに内蔵されたデジタルカメラ（撮像部）で読み取って、ペン先が移動した単位情報の軌跡をデジタルペンの記録部に記録するようになっている。
一つのアプリケーションには、同一のドットパターンが存在しないようにデジタルペンシステムサービス側で管理しており、前述のＰＬＳサーバは、通信端末から送信されたドットパターン情報から、使用されているアプリケーションを割り出して、そのアプリケーションを管理し、利用支援を行うＡＳＨサーバのＵＲＬを通信端末に紹介する。
通信端末は、最終的にＡＳＨサーバにチェック欄のドットパターン情報を送信して文字データなどに変換してもらって利用する。
【００２１】
図４を参照して、金券（商品券）の所定の領域に印刷された発行チェック欄と、回収チェック欄の一例について説明する。
図４に示す商品券の片面には商品券管理番号２１３の他、図示しないが、商品券の取り扱いに関する諸々の事項が細かに印刷されている。
前述のドットパターンは、商品券の裏側全面にデジタルペンのデジタルカメラ（撮像部）が認識するインキ色によって印刷されている。
図４に示す商品券の例では、商品券の裏側にドットパターンが印刷され、そのドットパターンが印刷された部分に重なるように発行店チェック枠，回収店チェック枠が印刷されている。
発行店側では、商品券を発行する際に、発行チェック欄２１１１にデジタルペンの筆記部でチェックを記載する。
発行チェック欄２１１１の面積は、前記ドットパターンの単位情報を複数内包する大きさであれば良く、また、マークが記載しやすい大きさにデザインする。
発行チェック欄を表示する発行チェック枠の右側には、発行チェック欄２１１１にマークを記載したことを確認するための「終了」マーク記載欄２１１が印刷されている。
店舗側では、商品券が発行される際にデジタルペンを使用して発行チェック欄２１１１と終了マーク記載欄２１１にチェックマークを記載しなければならない。
また、回収の際にも、発行の際に行った作業と同様の作業を行わなければならない。
前記、発行，回収のチェックマーク記載作業中は、通信端末は当然「オン」になっている。
【００２２】
図４を参照して、商品券管理番号のデータベースへの登録作業について説明する。
商品券が印刷会社から百貨店に納入される段階で、発行チェック欄２１１１，回収チェック欄２１２１に印刷されているドットパターン情報と商品券管理番号２１３の関連付けデータがＭＤ，ＣＤなどの記録媒体で納入される。この作業は、印刷会社で行われても、百貨店で行われてもよい。
この作業は、発行チェック欄２１１１，回収チェック欄２１２１のドットパターンを専用装置で読取り、それぞれ文字情報に変換して商品券管理番号と関連付けし、記録媒体に記録する。商品券管理番号は連続状の番号でも、重複しない乱数でもよいが、百貨店側では連続番号のほうが管理しやすいために、連続番号になっている場合が多い。
百貨店では、発行前の商品券を店舗に配布する前に、商品券管理サーバ，データベース管理端末等に、前記発行チェック欄２１１１，回収チェック欄２１２１に印刷されているドットパターン情報と商品券管理番号２１３の関連付けデータをダウンロードしておく。
不正に発行された商品券が流通していないかどうかのチェックは、通信端末から送信された発行チェック欄２１１１，回収チェック欄２１２１に印刷されているドットパターン情報が既にチェックされているか、いないかで判断される。既にチェックされた情報であった場合は、情報を送信した通信端末に対して、アラームメッセージを送信して正当に発行された商品券であるか確認させる。それと併せて、過去に同一のドットパターン情報を送信した通信端末についても調査する。
【産業上の利用可能性】
【００２３】
商品券やギフト券の発行状況，回収状況をリアルタイムに管理するシステムとして利用できる。
【図面の簡単な説明】
【００２４】
【図１】本発明の金券管理システムを構築するための機器構成を示す模式図である。
【図２】デジタルペンの機能について説明するためのブロック図である。
【図３】デジタルペン専用用紙に印刷されるドットパターンの単位情報について説明するための図である。
【図４】金券の所定の領域に印刷された発行チェック欄と、回収チェック欄の一例について説明するための図である。
【符号の説明】
【００２５】
１      デジタルペン（アノトペン）
２      商品券，ギフト券等の金券
３      ドットパターン管理サーバ
４      通信端末
５      商品券管理サーバ
１１    デジタルペン筐体
１２    記憶部
１３    制御部
１４    撮像部
１５    筆記部
１６    通信部
２１    商品券
１５１  インクカートリッジ
２１１，２１２  終了マーク記載欄
２１１１，２１２１  チェック欄
２１３  商品券情報（商品券管理番号）
【図１】
2006201908.tif 000003
【図２】
2006201908.tif 000004
【図３】
2006201908.tif 000005
【図４】
2006201908.tif 000006